(57)【特許請求の範囲】
【請求項１】
複数の動作制御機能を実現しつつ音響出力を行なう車両用音響装置であって、
第１診断項目としての第１動作制御機能に故障が発生したときに、その故障に関する情報を不揮発性メモリに記憶する自己診断手段と、
操作スイッチに対して第１操作が行われるのに応じて、前記不揮発性メモリに記憶された故障に関する情報を表示装置に表示させる表示制御手段と、
第２診断項目としての第２動作制御機能に故障が発生しているか否かの判断を支援すべく、前記操作スイッチに対して第２操作が行われるのに応じて、前記第２動作制御機能の動作状態を表わす出力信号を、所定の出力装置に出力する故障診断支援手段と、
を有し、
前記故障診断支援手段は、前記第２操作として前記操作スイッチの組み合わせ操作が行われたときに、その組み合わせ操作に応じて、前記複数種類の第２動作制御機能の中から何れかの第２動作制御機能の動作状態を表わす出力信号を出力すると共に、その出力信号を出力しているときに、前記第２操作として前記操作スイッチの異なる組み合わせ操作が更に行われたときには、その異なる組み合わせ操作に応じた第２動作制御機能の動作状態を表わす出力信号を出力することを特徴とする車両用音響装置。
【請求項２】
前記故障診断支援手段は、前記動作状態を表わす出力信号を前記所定の出力装置に出力するに際して、その動作状態を表わす情報は前記不揮発性メモリに記憶しないことを特徴とする請求項１記載の車両用音響装置。
【請求項３】
前記車両用音響装置は、前記所定の第１及び第２操作を、入力された前記操作スイッチの組み合わせ操作によって判別することを特徴とする請求項１記載の車両用音響装置。
【請求項４】
前記表示制御手段による前記故障に関する情報の表示中に前記所定の第２操作が行われても、前記故障診断支援手段は動作しないことを特徴とする請求項１記載の車両用音響装置。
【請求項５】
前記所定の出力装置は、前記表示装置またはスピーカであって、
前記故障診断支援手段は、前記所定の第２動作制御機能に故障が発生しているか否かの判断を支援すべく、
所定の表示機能を判断可能に前記表示装置を表示させる、
ファンクションスイッチの機能を判断可能に前記スピーカを駆動する、
ラジオ信号の受信強度を判断可能に前記表示装置を表示させる、
アンテナの動作制御機能を判断可能に前記表示装置を表示させる、
或いは、アンプの出力動作制御機能を判断可能に前記表示装置を表示させる
ことを特徴とする請求項１乃至請求項４の何れかに記載の車両用音響装置。
【発明の詳細な説明】
【０００１】
【発明の属する技術分野】
本発明は車両用電子機器に関し、例えば、カセットテープ、ＣＤ及びＭＤ等のプレーヤ（再生装置）の動作を、操作者が操作パネルにて集中的に操作できるようにした車両用音響装置に関する。
【０００２】
【従来の技術】
従来より、例えば代表的な車両である自動車においては、各種の電子機器が搭載されており、このような車両用音響装置の一例として、本願出願人による先行する特開平１１−３１０８７号には、エアコン制御モジュールやカーオーディオ制御モジュール等の複数の電装ユニットを統括制御するセンターモジュールにおいて、それら電装ユニットの故障診断を行い、故障を検出したときにはその旨を表示する電子機器が開示されている。
【０００３】
また、特公昭６１−３２１７３号には、アンチスキッド制御、エンジン燃焼制御、車速制御等の車両の挙動を制御する複数の制御ユニットがそれぞれ自己診断を行うと共に、それら制御ユニットにて検出された故障情報が管理装置に伝達され、その管理装置において各制御ユニットの故障情報の集中的な記憶・表示を行う異常表示装置が提案されている。
【０００４】
【発明が解決しようとする課題】
上記従来例のうち前者によれば、故障が発生した時点でその旨を乗員に報知することは可能であるが、発生した故障の状態は保存されないため、ディーラ等のサービス拠点においては、顧客からの口頭の情報によっては、発生している障害を迅速に発見できないことも想定される。
【０００５】
これに対して、上記従来例のうち後者によれば、管理装置内のメモリにおいて故障情報が集中的に記憶されるため、そのメモリ内の記憶情報を読み出せばメンテナンス時の障害原因の追求を容易に行うことができる。しかしながら、メモリの記憶容量には制限があるので、メンテナンスのためにサービス員によって行われる故障診断操作の結果、当該メモリ内に新たに故障情報が記憶される場合には、本来必要な故障情報が削除されてしまうことも想定され、メンテナンス時の故障診断の支援性に優れる装置とは言えない。また、故障情報の記憶だけのためにメモリを設けるのでは、コスト低減の障害になる。
【０００６】
また、発生した故障が同一の事象であっても、サービス員に必要な情報が全て乗員にとって必要な訳ではない。
【０００７】
また、ある機能が故障した状態であっても、その他の機能が動作可能であれば、その故障に関する情報を常時表示するとかえって利便性を損なうことになる。このことは、監視対象の電子装置が車両が安全に走行する上で致命的な障害とはならない、例えばカーステレオ等の音響装置の場合に顕著になると言える。
【０００８】
そこで、上記従来例に提案されている技術に対して、本願では、車両用電子装置の中でも最も一般的な、カセットテープ等の再生装置やラジオ受信機等からなる音響装置に着目し、その音響装置に起こった故障状態の迅速な把握、並びに故障診断の支援性の向上を目的とする。
【０００９】
【課題を解決するための手段】
上記の目的を達成するため、本発明に係る車両用音響装置は、以下の構成を特徴とする。
【００１０】
即ち、所定の第１動作制御機能に故障が発生したときに、その故障に関する情報を不揮発性メモリに記憶する自己診断手段と、操作スイッチに対して所定の第１操作が行われるのに応じて、前記不揮発性メモリに記憶された故障に関する情報を表示装置に表示させる表示制御手段と、所定の第２動作制御機能に故障が発生しているか否かの判断を支援すべく、前記操作スイッチに対して所定の第２操作が行われるのに応じて、前記第２動作制御機能の動作状態を表わす出力信号を、所定の出力装置に出力する故障診断支援手段とを備えることを特徴とする。
【００１１】
上記の装置構成において、前記故障診断支援手段は、前記動作状態を表わす出力信号を前記所定の出力装置に出力するに際して、その動作状態を表わす情報は前記不揮発性メモリに記憶しないほうが良い。
【００１２】
また、例えば前記車両用音響装置は、前記所定の第１及び第２操作を、入力された前記操作スイッチの組み合わせ操作によって判別すると良い。
【００１３】
また、例えば前記所定の出力装置は、前記表示装置またはスピーカであって、前記故障診断支援手段は、前記所定の第２動作制御機能に故障が発生しているか否かの判断を支援すべく、
所定の表示機能を判断可能に前記表示装置を表示させる、
ファンクションスイッチの機能を判断可能に前記スピーカを駆動する、
ラジオ信号の受信強度を判断可能に前記表示装置を表示させる、
アンテナの動作制御機能を判断可能に前記表示装置を表示させる、
或いは、アンプの出力動作制御機能を判断可能に前記表示装置を表示させると良い。
【００１４】
【発明の効果】
上記の本発明によれば、過去に起こった故障状態の迅速な把握、並びに故障診断の支援性の向上が可能な車両用音響装置の提供が実現する。
【００１５】
即ち、請求項１の発明によれば、所定の第１操作に応じた表示により、過去に起こった故障状態の迅速に把握できると共に、所定の第２操作に応じた出力動作により、故障診断の支援性の向上させることができる。
【００１６】
また、請求項２の発明によれば、既に記憶している故障情報が削除されるのを防止することができると共に、記憶容量の比較的小さい不揮発性メモリを採用することができる。
【００１７】
また、請求項３の発明によれば、車両用音響装置として設けられている操作スイッチを利用して、多様なパターンの入力操作を行うことができる。
【００１８】
また、請求項４乃至請求項６の発明によれば、故障診断作業時の利便性が向上する。
【００１９】
また、請求項７の発明によれば、作業員は、特別な検査装置を試用することなく、故障判断を容易に行うことができる。
【００２０】
【発明の実施の形態】
以下、本発明に係る車両用音響装置の一実施形態を、図面を参照して詳細に説明する。
【００２１】
＜装置構成＞
図１は、本実施形態における車両用音響装置の分解図である。図２は、本実施形態における車両用音響装置の操作パネルの正面図である。
【００２２】
図１及び図２に示すように、本実施形態の車両用音響装置は、カセットテープ或いはミニディスク（ＭＤ）等の所定の情報形態の音響情報が格納された記憶媒体から音響情報を読み出し、音声や楽曲等として再生する第１音響再生ユニット２０と、コンパクトディスク（ＣＤ）等の記憶媒体に記憶された情報を読み出して再生する第２音響再生ユニット３０と、これら第１及び第２音響再生ユニット２０，３０を統括して制御すると共に、ＡＭやＦＭ等の周波数帯域の一般的なラジオチューナ機能を音響再生機能の１つとして有する制御ユニット４０と、第１及び第２音響再生ユニット２０，３０、並びに制御ユニット４０を車両の乗員により集中的に操作可能な操作パネル１０とを備え、これらの各ユニットは、操作パネル１０を車室内側に臨ませて操作パネル１０の裏側に配置されている。
【００２３】
より具体的に説明すれば、第１音響再生ユニット２０は、カセットテーププレーヤ、ＭＤプレーヤ、或いは同じサイズの音響再生装置であり、カセットテープやＭＤ等の所定の情報形態の音響情報が格納された記憶媒体から音響情報を読み出し、音響信号として再生すると共に、その音響信号を通信ライン（バス）を介して制御ユニット４０に出力する。
【００２４】
また、第２音響再生ユニット３０は、第１音響再生ユニット２０の記憶媒体より大きなサイズの記憶媒体に記憶された音響情報を読み出し、音響信号として再生すると共に、その音響信号を通信ライン（バス）を介して制御ユニット４０に出力する。この第２音響再生ユニット３０としては、ＣＤプレーヤや複数のＣＤを収納可能なＣＤチェンジャ機能付きＣＤプレーヤ等が想定される（複数のＭＤを収納可能なＭＤチェンジャ機能付きＭＤプレーヤであっても良い）。
【００２５】
尚、第１及び第２音響再生ユニット２０，３０は、記憶媒体に情報を書き込む機能を有する場合もある。
【００２６】
操作パネル１０の車室内側に臨む一側面には、図２に示すように、ラジオ、ＣＤ、カセットテープ、ＭＤ等の各機能の操作を乗員が行うことができる操作スイッチ１１、それら各機能の動作モードを表示するＬＣＤ等のパネル表示装置１２、並びに、第２音響再生ユニット３０に記憶媒体を挿入または排出するためのパネル連通孔１４が配設されている。
【００２７】
また、パネル表示装置１２には、各ユニットの表示データ、後述する故障情報及び故障診断を支援するための情報が、セグメント及びキャラクタで表示される。
【００２８】
操作パネル１０には、車体に着脱可能に固定されるベースシャシー１が着脱自在に取り付けられ、第１及び第２音響再生ユニット２０，３０、並びに制御ユニット４０は、ベースシャシー１に着脱自在に固定され、かつ操作パネル１０の他側面に配設されている。
【００２９】
また、ベースシャシー１は、図３に示すインストルメントパネルＰの取付凹部Ｐ１に着脱自在に取り付けられている。
【００３０】
制御ユニット４０は、ベースシャシー１に着脱自在に固定され、かつ操作パネル１０に設けられた各種操作スイッチ１１における入力操作に対応した制御信号を、第１及び第２音響再生ユニット２０，３０に適宜選択して出力する。
【００３１】
制御ユニット４０は、操作パネル１０と第１及び第２音響再生ユニット２０，３０との間で通信ラインによって通信可能に接続されており、制御ユニット４０は、本実施形態では一例として操作パネル１０の他側面において第１及び第２音響再生ユニット２０，３０の間に配置されている。
【００３２】
第１音響再生ユニット２０は、筐体部２０Ａと、この筐体部２０Ａから車室内側に突出する車室側面部２０Ｂとから構成されている。
【００３３】
操作パネル１０には、当該パネルに一体的に一対の突出部１５が形成され、この一対の突出部１５は、車室内側から見て第１音響再生ユニット２０の車室側面部２０Ｂの周縁部やテキスト表示装置２２を取り囲むと共に、車室内に臨ませるための凹部を形成し、一対の突出部１５の少なくとも一方には操作スイッチ１１として音響機能における音量を調整するための音量スイッチが配設される。
【００３４】
これにより、第１音響再生ユニット２０の車室側面部２０Ｂの両側に存在するデッドスペースに操作スイッチを配設して省スペース化が図れ、操作パネル１０との一体感を醸し出して外観の見栄えが向上する。
【００３５】
図３は、本実施形態の車両用電子制御ユニットの車室内への取付構造を示す図である。
【００３６】
図３に示すように、ベースシャシー１により固定された操作パネル１０、第１及び第２音響再生ユニット２０，３０、並びに制御ユニット４０は、例えばスピードメータ等の計器類が配設される車室内前方のインストルメントパネルＰにおける運転席と助手席の間の取付凹部Ｐ１に取り付けられ、操作パネル１０の操作スイッチ１１及びテキスト表示装置２２は、乗員により操作可能となっている。操作パネル１０は、一般的なカーオーディオシステムに採用されているところの、音響機器単位で設けられている操作スイッチ類を廃止し、代わりに各音響再生機能を統括して操作可能となっている。
【００３７】
図４は、本実施形態に係る車両用音響装置の電気的な制御機能を示すブロック構成図である。
【００３８】
同図に示すように、操作パネル１０と制御ユニット４０とは、操作パネル１０側のコネクタ１３と制御ユニット４０のコネクタ４３の間を接続する通信ライン（バス）により電気的に結線され、操作スイッチ１１より入力された操作信号は、制御ユニット４０の動作を司るＣＰＵ４６に入力される。ＣＰＵ４６は、操作スイッチ１１より入力された操作信号に対応した制御信号により、操作パネル１０のパネル表示装置１２の表示制御を行う。
【００３９】
また、制御ユニット４０と第２音響再生ユニット３０とは、制御ユニット４０側のコネクタ４４と第２音響再生ユニット３０側のコネクタ３１ａとの間を接続する通信ラインにより電気的に結線され、操作スイッチ１１より入力された操作信号は、制御ユニット４０のＣＰＵ４６に入力され、その操作信号に対応した制御信号が、第２音響再生ユニット３０に対して出力される。このとき、ＣＰＵ４６は、第２音響再生ユニット３０の動作モードに応じて、パネル表示装置１２の表示を制御する。第２音響再生ユニット３０は、入力された制御信号に応じて、自音響再生ユニットにおける一般的な再生動作を行い、再生された音声信号は、制御ユニット４０に対して出力される。
【００４０】
また、制御ユニット４０と第１音響再生ユニット２０とは、制御ユニット４０側のコネクタ４５と第１電子制御ユニット２０側のコネクタ２１ａとの間を接続する通信ラインにより電気的に結線され、操作スイッチ１１より入力された操作信号は、制御ユニット４０のＣＰＵ４６に入力され、その操作信号に対応した制御信号が、第１音響再生ユニット２０に対して出力される。このときＣＰＵ４６は、第１音響再生ユニット２０の動作モードに応じて、パネル表示装置１２の表示を制御する。第１音響再生ユニット２０は、入力された制御信号に応じて、自音響再生ユニットにおける一般的な再生動作を行い、再生された音声信号は、制御ユニット４０に対して出力される。
【００４１】
また、制御ユニット４０のＣＰＵ４６は、操作スイッチ１１のスイッチ操作に応じて、一般的な増幅器（アンプ）の機能をも有するラジオチューナ４７を制御する。ラジオチューナ４７が選局すべき周波数に関する情報は、記憶保持のための電源回路を必要としない所謂、不揮発性メモリ（例えばＥＥＰＲＯＭ）４８に記憶されている。そして、当該ラジオチューナにて再生されたラジオの音声（音響）信号、上記の各通信ラインを介して制御ユニット４０に入力されたところの、第１及び／または音響再生ユニット２０，３０にて再生された音声信号の中の何れかの音声信号がＣＰＵ４６にて選択され、ラジオチューナ４７のアンプ機能によって適宜増幅された後、車室内の所定位置に配設された複数のスピーカ５０に対して出力される。
【００４２】
そして、第１音響再生ユニット２０は、操作パネル１０と直接的に若しくは間接的に、電気的かつ物理的に着脱可能に構成され、第１音響再生ユニット２０が離脱状態のときであっても、本実施形態の車両用音響装置は、少なくとも第２音響再生ユニット３０の制御機能を達成し得るように構成されている。これにより、第１音響再生ユニット２０がオプション設定されて取り付けられたときであっても、他のユニットに関する表示データの表示エリアもしくは表示時間が必要以上に制限されることがなくなる。
【００４３】
また、本実施形態に係る車両用音響装置の特徴的な動作として、第１及び第２音響再生ユニット２０，３０、並びに制御ユニット４０内のラジオチューナ４７は、それぞれ所定の周期で、所定の診断項目に対する自己診断を行っており、その診断結果を表わす情報のうち故障情報だけが制御ユニット４０内の不揮発性メモリ４８に自動的に記憶される（詳細は後述する）。記憶された故障情報は、その故障情報が記憶されたとき（即ち、故障発生時）、或いは、操作パネル１０からの所定のスイッチ操作に応じてＣＰＵ４６によって読み出され、その故障情報を表わす表示内容がパネル表示装置１２に表示される（詳細は後述する）。
【００４４】
尚、故障情報を記憶するための不揮発性メモリは、そのためだけに別途設けても良いが、本実施形態においては、周波数に関する情報が格納されている不揮発性メモリ４８と共用することにより、記憶保持動作が必要なメモリと比較して一般的に価格が高い不揮発性メモリを複数使用することによりコストアップを抑制している。
【００４５】
また、当該車両用音響装置の盗難を未然に防止すべく、制御ユニット４０内の不図示の不揮発性メモリに予め任意の暗証コードを記憶しておき、所定のタイミング（例えば、イグニッションキースイッチ投入後の初回操作時、或いは車両用音響装置の主電源オン操作時等）に操作パネル１０より乗員によって入力されたコードが、当該暗証コードと一致したときだけ動作する防犯システムを採用している場合には、当該暗証コードを記憶するための不揮発性メモリに、故障情報を記憶することにより、コストアップを抑制しても良い。
【００４６】
更に、本実施形態に係る車両用音響装置の他の特徴的な動作として、制御ユニット４０のＣＰＵ４６は、操作スイッチ１１のスイッチ操作に応じて故障診断支援モードに遷移し、その故障診断支援モードにおいて、制御ユニット４０の所定の機能項目に対する故障診断を支援する（詳細は後述する）。
【００４７】
尚、本実施形態において、前述した不揮発性メモリ４８に記憶された故障情報の表示操作、並びに故障診断支援モードにおける操作は、ディーラ等のサービス拠点における専門知識を有するサービス員に対してのみ開放されるものとするが、ユーザに配布される取り扱い説明書に開放（記載）しても良い。
【００４８】
また、第２音響再生ユニット３０の記憶媒体に文字情報が含まれる場合には、その文字情報を第１音響再生ユニット２０を介してテキスト表示装置２２に表示させる。これにより、第２音響再生ユニット３０の記憶媒体に文字情報が含まれる場合でも表示を適切に行なえる。
【００４９】
＜各ユニットの判別＞
上述した各ユニットには、当該音響装置の商品性を考慮して、ユーザによる所望のシステム構成を実現させると共に、そのシステム構成を制御ユニット４０のＣＰＵ４６にて識別可能にすべく、デバイスコードとプロダクトコードが付与されている。
【００５０】
即ち、デバイスコード（以下の説明または図面において、ユニットコードと称する場合がある）は、例えば、第２音響再生ユニット３０としてＣＤプレーヤが選択されている場合は”０３”、ＭＤプレーヤが選択されている場合は”０７”等のように、当該音響装置を構成する第１及び第２音響再生ユニット２０，３０、並びに制御ユニット４０として、どのデバイスが選択されているかを認識可能にすべく、それぞれ固有のデバイスコードが付与されている。
【００５１】
そしてプロダクトコード（以下の説明または図面において、メーカコードと称する場合がある）は、上記のデバイスコードが同一のグループに属するところの、所定の記憶媒体を再生可能なある種類の音響再生ユニットにおいても、ユーザの所望のシステム構成を実現させるべく、製造元、或いは仕様の異なる型式を判別可能なコードである。より具体的には、このプロダクトコードによれば、例えば第２音響再生ユニット３０としてデバイスコード”０３”のＣＤプレーヤが選択されている場合においても、そのＣＤプレーヤとして、ごく一般的な性能を有する製造元（メーカ）または型式のＣＤプレーヤが選択されても、或いは豊富なオプション機能を有する高性能な型式のＣＤプレーヤまたはそのＣＤプレーヤを製造する製造元（メーカ）が選択されても、ＣＰＵ４６は認識することができる。
【００５２】
本実施形態において、これらデバイスコード及びプロダクトコードは、各ユニットが後述する自己診断にて故障を検出したときに、その故障を表わす情報（以下、エラーコード）と共にＣＰＵ４６に対して送出される。そして、デバイスコード、プロダクトコード、並びにエラーコードを受信したＣＰＵ４６は、それらのコードを、不揮発性メモリ４８に格納する。
【００５３】
尚、不揮発性メモリ４８には、故障情報と共に、その故障情報が記憶された時刻情報（即ち、故障発生時刻）を格納すると良い。
【００５４】
また、当該車両用音響装置を構成する各ユニットのデバイスコード及びプロダクトコードは、ＣＰＵ４６にシステム構成を認識させるべく、制御ユニット４０に予め記憶しておき、そのデータを利用しても良い。
【００５５】
＜各ユニットにおける自己診断機能及び故障情報表示機能＞
次に、上述した本実施形態に係る車両用音響装置の装置構成にて概説した各ユニットにおける自己診断機能及び故障情報表示機能の詳細について説明する。
【００５６】
（自己診断機能）
図５は、本実施形態に係る車両用音響装置を構成可能な各ユニットにおける自己診断機能を説明する図である。
【００５７】
図５の縦の欄には、一例として、制御ユニット４０として選択可能な制御ユニット、第２音響再生ユニット３０として選択可能なＣＤプレーヤ（ＣＤーＰ）ユニット及びＣＤチェンジャ（ＣＤ−Ｃ）ユニット、並びに、第１音響再生ユニット２０として選択可能なカセットテーププレーヤ（ＴＡＰＥーＰ）ユニット及びＭＤプレーヤ（ＭＤーＰ）ユニット、の各ユニットに関する故障区分が記載されていると共に、それら各ユニットに共通の区分が記載されている。
【００５８】
また、図５の横の欄には、一例として、上記の各ユニットがそれぞれ自ユニット内で所定の時間周期で行うところの所定の自己診断項目、それら自己診断項目にて故障（障害）として検出すべき症状（事象）、その故障の検出方法、並びに、検出した故障を表わす情報（故障情報）が制御ユニット４０内の不揮発性メモリ４８に格納されるか否か、の各項目が記載されている。
【００５９】
各ユニットに共通な事項としては、当該各ユニット毎に所定の自己診断を、所定の時間周期で行い、故障を検出したときには、その故障を特定するエラーコードを、上述したデバイスコード及びプロダクトコードと共に制御ユニット４０に対して送出する。そして、制御ユニット４０のＣＰＵ４６は、それら受信したコードを、不揮発性メモリ４８に格納する。好適な実施形態においては、当該各ユニットにて故障が検出されなかったときにおいても、制御ユニット４０にてシステム全体の作動状況を把握すべく、正常である旨を表わすコードを、デバイスコード及びプロダクトコードと共に制御ユニット４０に対して送出すべきである。しかしながら、本実施形態では、受信したコードが自己診断結果が正常である旨を表わすときには、不揮発性メモリ４８のメモリ容量を考慮してそれらのコードの記憶は行わない。
【００６０】
次に、各ユニットの個別の自己診断項目について説明する。図５に示す各診断項目は、例えばＣＤプレーヤとしてどの製造元または型式が選択されたとしても共通の項目である。但し、図５に記載した各ユニットの自己診断項目及びその故障診断方法自体は、それぞれ現在では一般的な手法であるため、本実施形態における詳細な説明は省略する。
【００６１】
・制御ユニット：
（１）PLL LOCK ERROR検出：ラジオチューナ４７による自動選局動作において所定時間が経過してもラジオ信号が受信できない（選局できない）ことを検出する。
【００６２】
（２）異常電源電圧検出：ラジオチューナ４７内の不図示のアンプモジュール等への電源電圧の変動を検出する。
【００６３】
（３）BUS LINE ERROR検出：制御ユニットに接続された他ユニットへの通信ラインの障害を、他ユニットに対して所定時間周期で行っている確認信号の送信に対して、レスポンス信号が未検出になることを検出する。
【００６４】
・ＣＤプレーヤユニット、ＣＤチェンジャユニット、ＭＤプレーヤユニット：
（１）MECHANISM ERROR：記憶媒体（ＣＤ、ＭＤ）の挿入動作または排出動作を所定回数行っても、その動作に移行できないことを検出する（チェンジャユニットの場合は、読み取るべき記憶媒体の変更ができないことも検出する）。
【００６５】
（２）SERVO ERROR：挿入されたＣＤディスクを読み取るに際して、トラックチェンジができないことを検出する。
【００６６】
（３）DISC READ ERROR：挿入されたＣＤディスクを、ピックアップが読み取れないことを検出する。
【００６７】
・カセットテーププレーヤユニット
（１）MECHANISM ERROR：テープの挿入動作または排出動作を所定回数行っても、その動作に移行できないことを検出する。
【００６８】
（２）TIGHT TAPE ERROR：テープ再生中に回転部品が停止し、音声を再生できないことを検出する。
【００６９】
（３）TAPE CUT ERROR：テープ送り中または再生中に、テープが切れたことを検出する。
【００７０】
（故障情報表示機能）
次に、故障情報表示機能について説明する。
【００７１】
制御ユニット４０のＣＰＵ４６は、第１及び第２音響再生ユニット２０，３０、或いは図５を参照して上述した制御ユニット４０自身の自己診断項目において故障が発生したことを、デバイスコード、プロダクトコード、エラーコードを受信することによって認識すると、それらのコードを上述したように不揮発性メモリ４８に記憶すると共に、発生した故障を乗員にリアルタイムに報知すべく、パネル表示装置１２に所定のパターンを所定時間にわたって表示する。
【００７２】
また、リアルタイムな表示は、運転等により乗員が気がつかない場合が多いので、本実施形態では、故障中の音響再生ユニットを操作するための入力操作が操作パネル１０にて行われたことを制御ユニット４０にて検出したとき、或いは、故障中の音響再生ユニットへの記憶媒体（ＣＤ等）の挿入動作に応じて、その故障中の音響再生ユニットが送信した所定の制御信号を制御ユニット４０にて検出したとき等には、その故障中の音響再生ユニットの動作制御を禁止する、或いは、受信した制御信号に応じて正常時には行うべき所定の処理を禁止すると共に、発生している故障を報知するための所定のパターンを、所定時間にわたって改めて表示する。
【００７３】
上記の表示処理及び動作制御の規制は、制御ユニット４０の不揮発性メモリ４８に故障情報を集中的に記憶しているから行える処理であり、これにより、乗員による無理な操作によって故障状態が更に悪化することを防止することができると共に、無駄な操作を繰り返すことなく、利用可能（動作可能）な他の機能を、乗員は迅速に選択することができ、故障発生時における操作性の悪化を最小限にすることができる。
【００７４】
上述した２つの場合（故障発生時、該当する操作検出時）におけるパネル表示装置１２への故障情報の表示態様は、乗員を対象とするものなので、不揮発性メモリ４８に記憶されたコードをそのまま全て表示する訳ではなく、例えば、ＣＤプレーヤが故障している場合、「ＣＨＥＣＫ  ＣＤ」等と表示すれば良い。また、パネル表示装置１２の表示エリアが小さいときには、前記の例の場合、「ＣＨＥＣＫ」、「ＣＤ」等と複数回に分けて表示する、或いは表示するキャラクタを右端から左端に向かって流す等しても良い。但し、故障情報の表示を行うとかえって乗員を困惑させるであろう故障情報（例えば制御ユニット４０にて発生した電源電圧異常やPLL LOCK ERROR等）は表示を行わない。
【００７５】
また、不揮発性メモリ４８に記憶されたデバイスコード、プロダクトコード、エラーコードの各コードは、操作パネル１０に入力された所定の第１操作に応じて当該メモリから読み出され、パネル表示装置１２に表示される。表示に際しては、パネル表示装置１２の表示エリアの大きさを考慮して、それらのコードを、所定のキー操作（後述する制御処理では第９操作と称し、例えば周波数シークキーの操作等）が行われる度に、例えば新しいデータから順に、パネル表示装置１２に表示する。これらのコードの表示は、サービス拠点におけるサービス員を対象とするものであり、表示態様としては、「０５  ０３：Ｅｒ３０」等と同時に表示しても、上記の如く複数回に分けて表示しても良い。これにより、サービス員は、過去に起こった故障状態の迅速に把握できる。尚、所定の第１操作は、操作パネル１０に設けられた複数のスイッチの操作の順番、押下継続時間等の組み合わせとして設定すれば良い。
【００７６】
本実施形態では、所定の第１操作に応じた表示に際して、プロダクトコードも表示される。このため、サービス拠点におけるメンテナンス時において、個々のユーザによって異なる当該車両用音響装置のシステム構成の確認が迅速に行える。
【００７７】
＜故障診断支援機能＞
次に、上述した本実施形態に係る車両用音響装置の装置構成にて概説した故障診断支援機能（故障診断支援モード）の詳細について説明する。この機能は、サービス拠点における専門知識を有するサービス員が故障診断作業を行うに際して、その作業を支援することを目的とした機能であり、この機能は、操作パネル１０に設けられた複数のスイッチの操作の順番、押下継続時間等の組み合わせで予め設定されている所定の第２操作（後述する制御処理では第２乃至第８操作と称し、上述した第１操作とは組み合わせパターンが異なる）が入力されたときに、その入力操作に応じた動作を、制御ユニット４０が行うことによる。係る故障診断支援機能によれば、作業員は、特別な検査装置を試用することなく、目視または音声により、故障判断を容易に行うことができる。
【００７８】
図６は、本実施形態に係る車両用音響装置にて実行可能な故障診断支援機能を説明する図であり、同図の横の欄には、サービス員による診断項目、検出すべき故障の症状、支援動作として制御ユニット４０が行う故障診断の方法（動作）、並びに不揮発性メモリ４８への情報記憶の有無、の各項目が記載されている。以下、各診断項目に対応させて説明する。
【００７９】
・ＬＣＤ表示：
パネル表示装置１２の動作状態を、サービス員が目視にて確認できるように、パネル表示装置１２の表示素子を全てアクティブにする。
【００８０】
・ファンクションスイッチ：
操作パネル１０に設けられた複数のスイッチの操作認識が正しく行われるかを、サービス員が音声にて確認できるように、何れかのスイッチの操作信号が制御ユニット４０に入力されたら、スピーカ５０からビープ音等を報知させる。
【００８１】
・スピーカ結線：
スピーカ５０としての複数のスピーカへの結線の接続不良や断線を、サービス員が音声にて確認できるように、各スピーカに順次ビープ音等を報知させる。
【００８２】
・ラジオチューナ：
ラジオチューナ４７のＲＦ入力電圧の状態を、サービス員が目視にて確認できるように、当該チューナのＳ−ＭＥＴＥＲ電圧を、パネル表示装置１２内の例えば表示素子１２ａのバー表示の長さ（個数）にて表示する。
【００８３】
・ダイバーシティ機能：
ラジオチューナ４７に接続された不図示のメインアンテナ及びサブアンテナの切り替え機能を、サービス員が所定の第２操作によって手動にて切り替え可能とする。この場合サービス員は、ダイバーシティ機能動作時との受信性能差をスピーカ５０から出力される音声状態によって判断する。
【００８４】
・アンテナ制御機能：
ラジオチューナ４７に接続された不図示のアンテナがラジオモードにおいて自動的に昇降するかを、サービス員が目視にて確認できるように、パネル表示装置１２にアンテナ制御出力を数値またはバー表示によって表示する。
【００８５】
・アンプ制御機能：
本実施形態ではラジオチューナ４７内に設けられたアンプモジュールの作動状態を、サービス員が目視にて確認できるように、パネル表示装置１２にアンテナ制御出力を数値またはバー表示によって表示する。
【００８６】
上述した診断項目は一例であり、これらの項目に限られるものではないが、何れの場合も、不揮発性メモリ４８への情報記憶は行わない。これは、故障診断支援機能における動作は、上述したように何れもサービス員が非定常な動作状態で行うものであり、その場で判断できる事項なので、不揮発性メモリ４８への記憶を特に必要としないことが主な理由であるが、その他に、自己診断機能によって当該メモリに既に記憶されている故障情報が削除されてしまうことを防止すると共に、書き込み／消去回数に制限があるＥＥＰＲＯＭの書き込み回数を抑制することを目的としている。
【００８７】
次に、上述した動作を実現する制御ユニット４０、第１及び第２音響再生ユニット２０，３０の制御処理について説明する。
【００８８】
＜制御ユニット４０の制御処理＞
図７及び図８は、本実施形態における制御ユニット４０の制御処理を示すフローチャートであり、操作パネル１０にて電源スイッチが投入されることにより、ＣＰＵ４６が実行を開始する制御プログラムの手順を表わす。
【００８９】
まず、図７に示すステップＳ１からステップＳ２５は、上述した故障情報表示機能を実現するための処理である。
【００９０】
ステップＳ１，ステップＳ２：今回の制御周期が、電源投入後の１回目の処理（イニシャルスタート）かを判断し、この判断でＮＯのとき（イニシャルスタートではないとき）にはステップＳ３に進み、ＹＥＳ（イニシャルスタート）のときには、制御ユニット４０に接続された他ユニットの接続状態を検出し、その検出結果を不図示のＲＡＭ等に記憶（ステップＳ２）し、ステップＳ３に進む。ステップ２では、例えば、他ユニットに対して所定時間周期で行っている確認信号の送信に対して、レスポンス信号が検出できないときには、制御ユニット４０に接続されていないと判断し、その接続状態を表わす情報を記憶すれば良い。
【００９１】
ステップＳ３：上述したPLL LOCK ERROR検出を行う。
【００９２】
ステップＳ４，ステップＳ５：PLL LOCK ERRORが発生しているかを判断し（ステップＳ４）、この判断でＮＯ（当該エラーが発生）のときにはステップＳ６に進み、ＹＥＳ（当該エラー発生）のときには、制御ユニット４０のデバイスコード、プロダクトコード、PLL LOCK ERRORを表わすエラーコードを、不揮発性メモリ４８に記憶し（ステップＳ５）、ステップＳ６に進む。
【００９３】
ステップＳ６：上述した異常電源電圧検出を行う。
【００９４】
ステップＳ７，ステップＳ８：異常電源電圧が発生しているかを判断し（ステップＳ７）、この判断でＮＯ（当該エラーが発生）のときにはステップＳ９に進み、ＹＥＳ（当該エラー発生）のときには、制御ユニット４０のデバイスコード、プロダクトコード、異常電源電圧を表わすエラーコードを、不揮発性メモリ４８に記憶し（ステップＳ８）、ステップＳ９に進む。
【００９５】
ステップＳ９：上述したバスラインエラー検出を行う。
【００９６】
ステップＳ１０，ステップＳ１１：バスラインエラーが発生しているかを判断し（スップＳ１０）、この判断でＮＯ（当該エラーが発生）のときにはステップＳ１６に進み、ＹＥＳ（当該エラー発生）のときには、ステップＳ１１においてバスラインエラーが発生している通信ラインに応じて、ＣＤプレーヤへの通信ラインにエラーが発生しているときにはステップＳ１２、ＣＤチェンジャ機能付きプレーヤへの通信ラインにエラーが発生しているときにはステップＳ１３、テーププレーヤへの通信ラインにエラーが発生しているときにはステップＳ１４、そしてＭＤプレーヤへの通信ラインにエラーが発生しているときにはステップＳ１５に分岐する。
【００９７】
ステップＳ１６，ステップＳ１７：他ユニットから通信ラインを介して各種コード（デバイスコード、プロダクトコード、エラーコード）を受信したかを判断し（ステップＳ１６）、この判断でＮＯ（受信したコードなし）のときにはステップＳ２０に進み、ＹＥＳ（受信したコード有り）のときには、それら受信したコードを、不揮発性メモリ４８に記憶し（ステップＳ１７）、ステップＳ１８に進む。
【００９８】
ステップＳ１８，ステップＳ１９：ステップＳ１７にて記憶したエラーコードが、所定の表示パターン（上述した「ＣＫＥＣＫ  ＣＤ」等）にてパネル表示装置１２にエラーが発生したことを表示すべきエラーコードであるかを判断し（ステップＳ１８）、この判断でＮＯのとき（所定のコードではないとき）にはステップＳ２０に進み、ＹＥＳのとき（所定のコードのとき）には、そのエラーコードに対応する所定の表示パターンを、パネル表示装置１２に表示し（ステップＳ１９）、ステップＳ２０に進む。
【００９９】
ステップＳ２０〜ステップＳ２２：操作パネル１０にて所定の第１操作が入力されたかを判断し（ステップＳ２０）、この判断でＮＯ（入力なし）のときにはステップＳ３１に進み、ＹＥＳ（入力有り）のときには、不揮発性メモリ４８に記憶されたデバイスコード、プロダクトコード、エラーコードの各コードを不図示のＲＡＭ等に読み出し（ステップＳ２１）、所定のキー操作（例えば周波数シークキーの操作等）に応じて、それらのコードをパネル表示装置１２に順次表示する（ステップＳ２２）。
【０１００】
ステップＳ２３，ステップＳ２４：操作パネル１０にて所定の第９操作が入力されたかを判断し（ステップＳ２３）、この判断でＮＯ（入力なし）のときにはステップＳ２５に進み、ＹＥＳ（入力有り）のときには、不揮発性メモリ４８に記憶されたデバイスコード、プロダクトコード、エラーコードの各コードをクリアし（ステップＳ２４）、ステップＳ２５に進む。
【０１０１】
ステップＳ２５：操作パネル１０にて電源スイッチがオフにされたかを判断し、この判断でＮＯ（電源スイッチはオン状態）のときにはステップＳ２１に戻り、ＹＥＳ（電源スイッチのオフを検出）のときには処理を終了する。
【０１０２】
次に、図８に示すステップＳ３１からステップ４９は、上述した自己診断支援機能を実現するための処理である。
【０１０３】
ステップＳ３１〜ステップＳ４４：操作パネル１０にて所定の第２乃至第８操作が入力されたかを判断し（ステップＳ３１，ステップＳ３２）、この判断に応じて、ステップＳ３５乃至ステップＳ４４に分岐し、それぞれのステップにおいては、自己診断支援機能として上述したＬＣＤ表示等の動作を行う。
【０１０４】
ステップＳ４５，ステップＳ４６：他ユニットから通信ラインを介して各種コード（デバイスコード、プロダクトコード、エラーコード）を受信したかを判断し（ステップＳ４５）、この判断でＮＯ（受信したコードなし）のときにはステップＳ４７に進み、ＹＥＳ（受信したコード有り）のときには、それら受信したコードを、不揮発性メモリ４８に記憶し（ステップＳ４６）、ステップＳ４７に進む。
【０１０５】
ステップＳ３２：不揮発性メモリ４８に記憶されているデバイスコード、プロダクトコード、エラーコードを参照すると共に、故障したユニットを操作するための入力操作が操作パネル１０にて行われたときは、上述したように故障を知らせるための「ＣＨＥＣＫ  ＣＤ」等と表示を行う。また、故障していないユニットを操作するための入力操作が操作パネル１０にて行われたとき、或いは何れのユニットも故障していないときには、その操作に応じた制御信号を当該ユニットに送信することにより、スピーカ５０より音声出力を行う等の通常時の動作を行う。
【０１０６】
ステップＳ３３：ラジオチューナ４７に、通常の一般的なラジオチューナとしての動作を行わせる。
【０１０７】
ステップＳ４７：不揮発性メモリ４８に記憶されているデバイスコード、プロダクトコード、エラーコードを参照すると共に、故障したユニットを操作するための入力操作が操作パネル１０にて行われたときは、上述したように故障を知らせるための「ＣＨＥＣＫ  ＣＤ」等と表示を行う。また、故障していないユニットを操作するための入力操作が操作パネル１０にて行われたとき、或いは何れのユニットも故障していないときには、その操作に応じた制御信号を当該ユニットに送信することにより、スピーカ５０より音声出力を行う等の通常時の動作を行う。
【０１０８】
ステップＳ４８：ラジオチューナ４７に、通常の一般的なラジオチューナとしての動作を行わせる。
【０１０９】
ステップＳ４９：操作パネル１０にて電源スイッチがオフにされたかを判断し、この判断でＮＯ（電源スイッチはオン状態）のときにはステップＳ３４に戻り、ＹＥＳ（電源スイッチのオフを検出）のときには処理を終了する。従って、本実施形態では、故障診断支援モードに移行したときには、電源スイッチをオフにするまで通常の動作には戻れない処理構成としている。
【０１１０】
＜第１及び第２音響再生ユニット２０，３０の制御処理＞
次に、第１及び第２音響再生ユニット２０，３０として選択可能なＣＤプレーヤユニット、ＣＤチェンジャ機能付きプレーヤユニット、カセットテーププレーヤユニット、ＭＤプレーヤユニットの、各ＣＰＵが行う制御処理について説明する。
【０１１１】
図９は、ＣＤプレーヤユニットの制御処理を示すフローチャートであり、一般的なＣＤプレーヤとしての動作と、図５を参照して上述したＣＤプレーヤユニットの自己診断機能とを実現する処理手順を例示している。
【０１１２】
同図において、ステップＳ１０１〜ステップＳ１０３：ＣＤプレーヤユニットのメカニズムエラーを検出処理を行うと共に、その処理の結果当該エラーが発生している化を判断し（ステップＳ１０１，ステップＳ１０２）、その判断でＮＯのときにはステップＳ１０４に進み、ＹＥＳのときにはメカニズムエラーを表わすエラーコードと共に、ＣＤプレーヤユニットのデバイスコード及びプロダクトコードを、制御ユニット４０に対して送信し（ステップＳ１０３）、ステップＳ１０４に進む。
【０１１３】
ステップＳ１０４〜ステップＳ１０６：上記のメカニズムエラーに対する処理と同様な処理を、サーボエラーについて行う。
【０１１４】
ステップＳ１０７〜ステップＳ１０９：上記のメカニズムエラーに対する処理と同様な処理を、リードエラーについて行う。
【０１１５】
ステップＳ１１０：通常のＣＤプレーヤユニットとしての一般的な動作制御（再生、停止、早送り等）を、制御ユニット４０から受信する制御信号に応じて行い、リターンする。
【０１１６】
図１０は、ＣＤチェンジャ機能付きプレーヤユニットの制御処理を示すフローチャートであり、図５を参照して上述したように、図９に示したＣＤプレーヤユニットの制御処理と略同様な処理構成であるため、重複する説明は省略するが、メカニズムエラーとしてステップＳ２０１にて検出すべき項目として、読み取るべきディスクの変更が可能か否かがあり、ステップＳ２１０の動作制御においては、読み取るべきディスクの変更が追加される。
【０１１７】
図１１は、カセットテーププレーヤユニットの制御処理を示すフローチャートであり、図９に示したＣＤプレーヤユニットの制御処理に準じた処理構成であるが、読み取るべき記憶媒体がテープであるため、各ステップにおける判断事項として、図５を参照して上述したように、テープタイトエラー及びテープカットエラーが検出される。
【０１１８】
図１２は、ＭＤプレーヤユニットの制御処理を示すフローチャートであり、図５を参照して上述したように、読み取るべき記憶媒体がＭＤであることを除いて、図９に示したＣＤプレーヤユニットの制御処理と略同様な処理構成であるため、重複する説明は省略する。
【０１１９】
尚、上述した本実施形態では、音響再生ユニットととして第１及び第２音響再生ユニット２０，３０の２つを選択可能な音響装置を例に説明したが、この構成に限られるものではなく、３種類以上選択可能なシステムであっても、或いは１種類だけ選択可能なシステムであっても良い。
【０１２０】
また、上述した本実施形態では、制御ユニット４０内に音響再生ユニットの１つとしてラジオチューナ４７を備える場合を例に説明したが、この構成に限られるものではなく、ラジオチューナ機能を１つの音響再生ユニットとして選択可能なシステム構成であっても、或いは他の音響再生機能（例えばカセットテープの再生機能）が制御ユニット４０内に備えられたシステム構成であっても良い。
【０１２１】
また、上述した本実施形態では、各ユニット間の通信ラインを、図４に示すように、制御ユニット４０のＣＰＵ４６を中心とする形態としたが、この構成に限られるものではなく、通信ラインの形態として所謂車内ＬＡＮを採用する場合に適用しても良い。
【図面の簡単な説明】
【図１】本実施形態における車両用音響装置の分解図である。
【図２】本実施形態における車両用音響装置の操作パネルの正面図である。
【図３】本実施形態の車両用電子制御ユニットの車室内への取付構造を示す図である。
【図４】本実施形態に係る車両用音響装置の電気的な制御機能を示すブロック構成図である。
【図５】本実施形態に係る車両用音響装置を構成可能な各ユニットにおける自己診断機能を説明する図である。
【図６】本実施形態に係る車両用音響装置にて実行可能な故障診断支援機能を説明する図である。
【図７】本実施形態における制御ユニット４０の制御処理を示すフローチャートである。
【図８】本実施形態における制御ユニット４０の制御処理を示すフローチャートである。
【図９】ＣＤプレーヤユニットの制御処理を示すフローチャートである。
【図１０】ＣＤチェンジャ機能付きプレーヤユニットの制御処理を示すフローチャートである。
【図１１】カセットテーププレーヤユニットの制御処理を示すフローチャートである。
【図１２】ＭＤプレーヤユニットの制御処理を示すフローチャートである。
【符号の説明】
１：ベースシャシー，
１０：操作パネル，
１１：操作スイッチ，
１２：パネル表示装置，
２０：第１音響再生ユニット，
２２：テキスト表示装置，
３０：第２音響再生ユニット，
４０：制御ユニット，
４６：ＣＰＵ，
４７：ラジオチューナ，
４８：不揮発性メモリ，
５０：スピーカ，
【図１】
0003800486.tif 000002
【図２】
0003800486.tif 000003
【図３】
0003800486.tif 000004
【図４】
0003800486.tif 000005
【図５】
0003800486.tif 000006
【図６】
0003800486.tif 000007
【図７】
0003800486.tif 000008
【図８】
0003800486.tif 000009
【図９】
0003800486.tif 000010
【図１０】
0003800486.tif 000011
【図１１】
0003800486.tif 000012
【図１２】
0003800486.tif 000013